(57)【要約】【課題】  猫背になり難い体勢を保ちながら、着座中の着座者の疲労を抑える椅子などを提供する。【解決手段】  本発明の第1の側面は、着座者の背中を受ける背凭部と、前記背凭部の上側寄りを枢支し、前記背凭部の下部を前後方向に揺動自在とする枢支軸とを備え、座部と前記枢支軸との相対的な位置関係を略一定に保った状態で、前記背凭部の下部が前後方向に揺動することによって着座中の着座者の揺らぎに追従することを特徴とする背凭にある。本発明の第2の側面は、前記背凭部の下部は、弾性によって、着座中の着座者の揺らぎに追従することを特徴とする請求項1記載の背凭にある。本発明の第3の側面は、2以上の異なる弾性力の弾性によって、前記背凭部の下部は段階的に揺動することを特徴とする請求項1記載の背凭にある。【選択図】  図19
2018110633.tif 000002
【特許請求の範囲】
【請求項１】
着座者の背中を受ける背凭部と、
前記背凭部の上側寄りを枢支し、前記背凭部の下部を前後方向に揺動自在とする枢支軸と
を備え、
座部と前記枢支軸との相対的な位置関係を略一定に保った状態で、前記背凭部の下部が前後方向に揺動することによって着座中の着座者の揺らぎに追従することを特徴とする背凭。
【請求項２】
前記背凭部の下部は、弾性によって、着座中の着座者の揺らぎに追従することを特徴とする請求項1記載の背凭。
【請求項３】
2以上の異なる弾性力の弾性によって、前記背凭部の下部は段階的に揺動することを特徴とする請求項1記載の背凭。
【請求項４】
前記背凭部の前記下側は、前記背凭部の下端部であることを特徴とする請求項1記載の背凭。
【請求項５】
座部と、
前記座部に腰かける着座者の背中を受ける背凭部と、
前記背凭部の上側寄りを枢支し、前記背凭部の下部を前後方向に揺動自在とする枢支軸と
を備え、
前記座部と前記枢支軸との相対的な位置関係を略一定に保った状態で、前記背凭部の下部は、前後方向に揺動することによって着座中の着座者の揺らぎに追従し、
前記背凭部枢支軸は、前記座部の後縁の略直上に略固定されていることを特徴とする椅子。
【請求項６】
前記背凭部の下部の後方への移動を規制する後方移動規制部
をさらに備え、
着座者の操作によって回転する歯車を介して前記後方移動規制部が前後方向に移動することを特徴とする請求項5記載の椅子。
【請求項７】
前記背凭部に連結される背凭支持部と、
前記背凭部の下部の後方への移動を規制し、着座中の着座者の揺らぎに追従するための弾性体を有するランナーと
前記背凭支持部上に設けられた歯車部と、
前記背凭支持部上に前記背凭支持部の長手方向に配置され、前記歯車部の溝にかみ合う形の螺旋状ワイヤーフレームが巻きつけられたワイヤーフレーム支持棒と
をさらに備え、
前記ワイヤーフレーム支持棒の端部が回転すると、前記螺旋状ワイヤーフレームの回転を介して前記歯車部が回転し、前記ランナーが移動し、前記背凭部と前記背凭支持部との間隔を変化させることを特徴とする請求項5記載の椅子。
【請求項８】
前記背凭部の後方に配置されて前記背凭部を支持するとともに、前記背凭部に連結される背凭支持部をさらに備え、
前記背凭部と前記背凭支持部との間にスライドするランナーが設けられており、
前記ランナーがスライドすることで前記背凭部と前記背凭支持部との間隔を変化させることを特徴とする請求項5記載の椅子。
【請求項９】
前記背凭部の後方に配置されて前記背凭部を支持するとともに、前記背凭部に連結される背凭支持部をさらに備え、
前記背凭部と前記背凭支持部との間に屈曲部材が設けられており、
前記屈曲部材の折れ曲がり角度が変化することで前記背凭部と前記背凭支持部との間隔を変化させることを特徴とする請求項5記載の椅子。
【請求項１０】
前記背凭部に連結される背凭支持部と、
前記背凭部の背面上に、前記背凭部の横方向に略平行になるように回転可能な状態で配置された第1ワイヤーフレーム支持棒と、
前記第1ワイヤーフレーム支持棒に巻きつけられた螺旋状ワイヤーフレームと、
背凭部の背面上に設けられ、両端が折り曲げられた板状の前記ランナー保持部と、
前記背凭部の下部の後方への移動を規制し、前記ランナー保持部に収納された略長方形板状のランナーと、
前記ランナーに設けられた、断面がV字状に折り曲げられており、その中央部には略長方形の貫通孔と、
前記第1ワイヤーフレーム支持棒と略垂直になるように背凭部の背面上に回転可能な状態で設けられ、貫通孔の一辺に噛み合う形を有する前記螺旋状ワイヤーフレームが一端付近に巻きつけられた第2ワイヤーフレーム支持棒と、
前記第2ワイヤーフレーム支持棒の他端に結合された歯車部と
をさらに備え、
前記第1ワイヤーフレーム支持棒の長さは前記背凭部の両端からはみ出す程度であり、
手で操作しやすいように前記第1ワイヤーフレーム支持棒の両端は丸められ、
前記第2ワイヤーフレーム支持棒は、前記ランナーを貫通し、前記螺旋状ワイヤーフレームで前記貫通孔の一辺と噛み合い、
前記第2ワイヤーフレーム支持棒は、前記ランナー保持部の折り曲げられた上端及び下端に貫通して保持されており、
前記歯車部は、第1螺旋状ワイヤーフレームの螺旋とかみ合う位置に配置され、
横方向に伸びる前記第1ワイヤーフレーム支持棒の一端を着座者が手で回転させると、前記第1螺旋状ワイヤーフレームと噛み合う前記歯車部も回転し、縦方向に伸びる前記第2ワイヤーフレーム支持棒も回転し、
前記第2ワイヤーフレーム支持棒の回転は、前記第2螺旋状ワイヤーフレームに噛み合う前記貫通孔を通じてランナーを縦方向へ移動させ、
前記背凭部の背面上のランナーの縦方向への移動によって、前記背凭部と前記背凭支持部との間隔を変化させることを特徴とする請求項5記載の椅子。
【請求項１１】
前記背凭部の後方に配置された前記背凭部をさらに備え、
前記背凭部と前記背凭支持部との間にスライドする1対のランナーが設けられており、
前記1対のランナーが互いに異なる方向にスライドすることで前記背凭部と前記背凭支持部との間隔を変化させることを特徴とする請求項5記載の椅子。
【請求項１２】
前記座部と前記背凭部とがなす角が略一定であり、
前記背凭部の下部の揺動と連動して、前記座部の先端が前後方向に揺動することを特徴とする請求項5記載の椅子。
【請求項１３】
着座者の背中を受ける背凭部と、前記背凭部の上側寄りを枢支し、前記背凭部の下部を前後方向に揺動自在とする枢支軸とを備える背凭によって、
座部と前記枢支軸との相対的な位置関係を略一定に保った状態で、前記背凭部の下部が前後方向に揺動することによって着座中の着座者の揺らぎに追従して着座者の背中を受けることを特徴とする着座者の背受方法。
【発明の詳細な説明】
【技術分野】
【０００１】
本発明は、背凭、椅子、及び、着座者の背中を受ける背受方法に関する。
【背景技術】
【０００２】
人の脊柱の生理的湾曲した状態、すなわち脊柱の自然な状態を左側面から視た場合の図を図１に示す。なお、図１において、各椎骨の左横の番号は、各椎骨の番号に対応し、例えば腰椎の番号５は、第５腰椎を示す（図２及び図３においても同じ）。このように、脊柱の生理的湾曲した状態では、仙骨上端部は前上方向に傾斜しており、仙骨から腰椎を経て胸椎の下側部分に至る範囲で、第２腰椎〜第３腰椎近傍を頂点として前方に張り出した略Ｃ字状の第１湾曲部１が形成される。そして、その上方では、略第６〜第７胸椎近傍を頂点として後方に張り出した略逆Ｃ字状の第２湾曲部２とが形成される。この第２湾曲部２の湾曲が大きくなった姿勢が、猫背（或いは円背）といわれる姿勢である。
【０００３】
さらに、胸椎の上側部分から頸椎を含んだ範囲では、第４頸椎近傍を頂点として前方に張り出した第３湾曲部３が形成される。このように、背骨は前後に湾曲しながら、各椎骨が連動することで、身体を滑らかに動作させ、筋肉・自律神経・内臓等の働きを正常に維持すると考えられている。
【０００４】
これに対し、例えば背凭が無い椅子に腰かけた着座時の脊柱の例を、図２に示す。このように、背凭が無い状態では、上述した生理的湾曲状態の脊柱から、仙骨上端が略１ｃｍから略３ｃｍ後方に移動すると、第４及び第５腰椎も後方に移動し、上述した第１湾曲部１の湾曲が小さくなりやすい。このように、脊柱の生理的湾曲状態な姿勢からの変化は、腰への負荷を与えやすく、腰痛等を引き起こす傾向にある。
【０００５】
また、上述した様に、第４及び第５腰椎が後方に移動すると、腰部から上側部分の重心も後方に移動するため、腰部から上側部分は不安定な状態となる。この不安定性を修正するために、背中を丸めることで胸椎の中間部から上側部分の重心を前方に移動させて体のバランスを図ろうとする。そのため、上述した第２湾曲部２の湾曲が大きくなり、猫背を引き起こすメカニズムの一つとされている。
【０００６】
また、背中を丸めることで、頸椎も前方に傾斜するため、顔面が前下方を向く。そこで、この顔面を立て直すために、第３湾曲部３の湾曲を大きくして顔面を正面に向ける。この第３湾曲部の湾曲を大きくした姿勢は、仰向きの際の第３湾曲部の湾曲と略同じであり、この姿勢を長時間継続することは、いわゆるストレートネックを発症要因の一つとされている。
さらに、仙骨上端部を後方に移動させると、図３に示すように、第１湾曲部１の湾曲は略消失し、例えば腰椎から胸椎にかけて後方に逆Ｃ字状に湾曲する等、更に姿勢が悪化して、内臓に対する負担等が増加しやすくなる。このように、仙骨の傾斜のわずかな変化が脊柱全体に影響を与え、猫背やストレートネック等を発症させるという問題がある。すなわち、生理的な脊柱の湾曲を維持した状態で着座することが、猫背やストレートネックの防止となる。
このような問題に対し椅子に関する様々な提案がされている。
【先行技術文献】
【特許文献】
【０００７】
【特許文献１】特表2010-516380号公報
【特許文献２】特開2007-050121号公報
【特許文献３】特開2016-016059号公報
【０００８】
図4は、椅子を示す図である。例えば、特許文献3では、座部14と、座部14に腰かける着座者の背中を受ける背凭部16と、背凭部16の後方に配置されて背凭部16を支持するとともに、座部14に連結される背凭支持部18とを備える椅子であって、背凭支持部18の上端近傍に配置される略水平な軸であり、背凭部16の上側寄りを枢支し、背凭部16の下端部16aを前後方向に揺動自在とする枢支軸31と、下端部16aを前後方向に進退させるとともに、下端部16aの後方への移動を規制する後方移動規制部50とを備え、枢支軸31は、着座者の第一腰椎から第一胸椎までの高さに配置され、下端部16aは着座者の仙骨上部から第4腰椎までの高さに配置される椅子が記載されている。
【発明の概要】
【発明が解決しようとする課題】
【０００９】
本発明は、上述の背景技術に鑑みてなされたものであり、猫背になり難い体勢を保ちながら、着座中の着座者の疲労を抑える椅子などを提供することにある。
【課題を解決するための手段】
【００１０】
この発明によれば、上述の目的を達成するために、特許請求の範囲に記載のとおりの構成を採用している。以下、この発明を詳細に説明する。
【００１１】
本発明の第1の側面は、
着座者の背中を受ける背凭部と、
前記背凭部の上側寄りを枢支し、前記背凭部の下部を前後方向に揺動自在とする枢支軸と
を備え、
座部と前記枢支軸との相対的な位置関係を略一定に保った状態で、前記背凭部の下部が前後方向に揺動することによって着座中の着座者の揺らぎに追従することを特徴とする背凭。
にある。
【００１２】
本発明の第2の側面は、
前記背凭部の下部は、弾性によって、着座中の着座者の揺らぎに追従することを特徴とする請求項1記載の背凭。
にある。
【００１３】
本発明の第3の側面は、
2以上の異なる弾性力の弾性によって、前記背凭部の下部は段階的に揺動することを特徴とする請求項1記載の背凭。
にある。
【００１４】
本発明の第4の側面は、
前記背凭部の前記下側は、前記背凭部の下端部であることを特徴とする請求項1記載の背凭。
にある。
【００１５】
本発明の第5の側面は、
座部と、
前記座部に腰かける着座者の背中を受ける背凭部と、
前記背凭部の上側寄りを枢支し、前記背凭部の下部を前後方向に揺動自在とする枢支軸と
を備え、
前記座部と前記枢支軸との相対的な位置関係を略一定に保った状態で、前記背凭部の下部は、前後方向に揺動することによって着座中の着座者の揺らぎに追従し、
前記背凭部枢支軸は、前記座部の後縁の略直上に略固定されていることを特徴とする椅子。
にある。
【００１６】
本発明の第6の側面は、
前記背凭部の下部の後方への移動を規制する後方移動規制部
をさらに備え、
着座者の操作によって回転する歯車を介して前記後方移動規制部が前後方向に移動することを特徴とする請求項5記載の椅子。
にある。
【００１７】
本発明の第7の側面は、
前記背凭部に連結される背凭支持部と、
前記背凭部の下部の後方への移動を規制し、着座中の着座者の揺らぎに追従するための弾性体を有するランナーと
前記背凭支持部上に設けられた歯車部と、
前記背凭支持部上に前記背凭支持部の長手方向に配置され、前記歯車部の溝にかみ合う形の螺旋状ワイヤーフレームが巻きつけられたワイヤーフレーム支持棒と
をさらに備え、
前記ワイヤーフレーム支持棒の端部が回転すると、前記螺旋状ワイヤーフレームの回転を介して前記歯車部が回転し、前記ランナーが移動し、前記背凭部と前記背凭支持部との間隔を変化させることを特徴とする請求項5記載の椅子。
にある。
【００１８】
本発明の第8の側面は、
前記背凭部の後方に配置されて前記背凭部を支持するとともに、前記背凭部に連結される背凭支持部をさらに備え、
前記背凭部と前記背凭支持部との間にスライドするランナーが設けられており、
前記ランナーがスライドすることで前記背凭部と前記背凭支持部との間隔を変化させることを特徴とする請求項5記載の椅子。
にある。
【００１９】
本発明の第9の側面は、
前記背凭部の後方に配置されて前記背凭部を支持するとともに、前記背凭部に連結される背凭支持部をさらに備え、
前記背凭部と前記背凭支持部との間に屈曲部材が設けられており、
前記屈曲部材の折れ曲がり角度が変化することで前記背凭部と前記背凭支持部との間隔を変化させることを特徴とする請求項5記載の椅子。
にある。
【００２０】
本発明の第10の側面は、
前記背凭部に連結される背凭支持部と、
前記背凭部の背面上に、前記背凭部の横方向に略平行になるように回転可能な状態で配置された第1ワイヤーフレーム支持棒と、
前記第1ワイヤーフレーム支持棒に巻きつけられた螺旋状ワイヤーフレームと、
背凭部の背面上に設けられ、両端が折り曲げられた板状の前記ランナー保持部と、
前記背凭部の下部の後方への移動を規制し、前記ランナー保持部に収納された略長方形板状のランナーと、
前記ランナーに設けられた、断面がV字状に折り曲げられており、その中央部には略長方形の貫通孔と、
前記第1ワイヤーフレーム支持棒と略垂直になるように背凭部の背面上に回転可能な状態で設けられ、貫通孔の一辺に噛み合う形を有する前記螺旋状ワイヤーフレームが一端付近に巻きつけられた第2ワイヤーフレーム支持棒と、
前記第2ワイヤーフレーム支持棒の他端に結合された歯車部と
をさらに備え、
前記第1ワイヤーフレーム支持棒の長さは前記背凭部の両端からはみ出す程度であり、
手で操作しやすいように前記第1ワイヤーフレーム支持棒の両端は丸められ、
前記第2ワイヤーフレーム支持棒は、前記ランナーを貫通し、前記螺旋状ワイヤーフレームで前記貫通孔の一辺と噛み合い、
前記第2ワイヤーフレーム支持棒は、前記ランナー保持部の折り曲げられた上端及び下端に貫通して保持されており、
前記歯車部は、第1螺旋状ワイヤーフレームの螺旋とかみ合う位置に配置され、
横方向に伸びる前記第1ワイヤーフレーム支持棒の一端を着座者が手で回転させると、前記第1螺旋状ワイヤーフレームと噛み合う前記歯車部も回転し、縦方向に伸びる前記第2ワイヤーフレーム支持棒も回転し、
前記第2ワイヤーフレーム支持棒の回転は、前記第2螺旋状ワイヤーフレームに噛み合う前記貫通孔を通じてランナーを縦方向へ移動させ、
前記背凭部の背面上のランナーの縦方向への移動によって、前記背凭部と前記背凭支持部との間隔を変化させることを特徴とする請求項5記載の椅子。
にある。
【００２１】
本発明の第11の側面は、
前記背凭部の後方に配置された前記背凭部をさらに備え、
前記背凭部と前記背凭支持部との間にスライドする1対のランナーが設けられており、
前記1対のランナーが互いに異なる方向にスライドすることで前記背凭部と前記背凭支持部との間隔を変化させることを特徴とする請求項5記載の椅子。
にある。
【００２２】
本発明の第12の側面は、
前記座部と前記背凭部とがなす角が略一定であり、
前記背凭部の下部の揺動と連動して、前記座部の先端が前後方向に揺動することを特徴とする請求項5記載の椅子。
にある。
【００２３】
本発明の第13の側面は、
着座者の背中を受ける背凭部と、前記背凭部の上側寄りを枢支し、前記背凭部の下部を前後方向に揺動自在とする枢支軸とを備える背凭によって、
座部と前記枢支軸との相対的な位置関係を略一定に保った状態で、前記背凭部の下部が前後方向に揺動することによって着座中の着座者の揺らぎに追従して着座者の背中を受けることを特徴とする着座者の背受方法。
にある。
【発明の効果】
【００２４】
本発明によれば、猫背になり難い体勢を保ちながら、着座中の着座者の疲労を抑える椅子などが得られる。
【００２５】
本発明のさらに他の目的、特徴又は利点は、後述する本発明の実施の形態や添付する図面に基づく詳細な説明によって明らかになるであろう。
【図面の簡単な説明】
【００２６】
【図１】人の脊柱の生理的湾曲を示す説明図である。
【図２】着座時の脊柱の例を示す説明図である。
【図３】着座時の脊柱の例を示す説明図である。
【図４】椅子の側面説明図である。
【図５】椅子の例を示す図である。
【図６】第1実施例を示す図である。
【図７】ランナーを示す図である。
【図８】第2実施例を示す図である。
【図９】第3実施例を示す図である。
【図１０】第4実施例及び第5実施例を示す図である。
【図１１】第6実施例を示す図である。
【図１２】第7実施例の一つを示す図である。
【図１３】第7実施例の一つを示す図である。
【図１４】第7実施例の一つを示す図である。
【図１５】第7実施例の一つを示す図である。
【図１６】第8実施例の一つを示す図である。
【図１７】第9実施例の一つを示す図である。
【図１８】第9実施例の一つを示す図である。
【図１９】第11実施例の一つを示す図である。
【発明を実施するための形態】
【００２７】
（脊柱の力動による座位姿勢の特性及び体験実験）
脊柱の力動による座位姿勢の特性についての本発明者による考察と、本発明者による体験実験とについて説明する。
【００２８】
(1)  背持たれのない場所に、臀部と頭頂部とが垂直になるようにして、背筋を伸ばして腰かける。このとき、腰部は窪み、背中は突出している。
(2)  (1)の姿勢から、骨盤を後方に傾斜させて腰部脊柱を少し後ろに突き出すと、両肩がすぼまり、背中が猫背のように曲る。更に背を丸めようとすると楽にできるが、伸ばそうとするには努力がいる。椅子の多くが、この姿勢になり易いように作られている。
(3)  (1)に戻って、下腹を前に少し突き出すようにして腰椎を前方に張り出させると、胸が張って自然に背中が伸びる。この姿勢で(2)のように背中を丸めようとしても、不思議なくらいに丸められない。
【００２９】
一般の認識とは大きく異なり、このように、骨盤と腰部脊柱のわずか数センチの前後への張り出し方の違いが、胸部や頚部の脊柱に、全く逆の影響を与えていたことに長年の業務経験を通じて発明者は着想するに至った。
【００３０】
この脊柱の特性から判断すると、猫背にならないようにするためには、下記の機能を椅子に持たせることが好ましい。
【００３１】
機能(イ)   枢支軸と背凭部との相対的な位置を略固定し、略変化しないようにし、さらに、背凭部の枢支軸を、座部後縁の直上の背腰部付近に略固定できるように配置し、背中が後方に流れないように阻止して、(2)の体勢になり難くすることが好ましい。このような配慮をした背凭部枢支軸に寄りかかると、寄りかかる力は背中を伸ばす方向への力となる。
【００３２】
背凭部を支える支柱の下部、背凭支持部の下部で、支柱、背凭支持部そのものの角度を変えられる椅子(リクライニングシートなど)、背凭支持部下部にスプリングを用いて背凭支持部全体が揺らぐように工夫された椅子など、背凭部枢支軸が機能(イ)で説明した位置と同様の位置に固定できる構造を有する椅子にも、機能(イ)と同様の機能を持たせることができる。
【００３３】
例えば、全く同じ形状に見える椅子であっても、背凭部枢支軸が(イ)の位置ではなく、体の大きさなどにもよるが、その4センチから5センチも後方に配置されていたとすると、猫背防止の役割をするどころか、かえって猫背になり易い働きさえしてしまいかねない。一般の認識とは大きく異なり、猫背防止のためには、背凭部の後方への移動を規制しつつ、背凭部の微細な位置調整ができる椅子が好ましい。
【００３４】
機能(ロ)  この(イ)の機能に加えて、背凭部下部を前方に押して(3)の体勢を保持することのできる、背凭部下部の進退装置を設けることが好ましい。機能(イ)と機能(ロ)との二つの機能が遭い働くことで、猫背防止の効果がさらに有効に発揮される。
【００３５】
機能(ハ)  背凭部の枢支軸に寄りかかった腰背部(A点)と、座部に接した臀部(B点)とが前後に移動しないようにして椅子に座した場合であっても、両者間にある下部胸椎・腰椎仙骨とからなる脊柱のライン(「ABライン」と以下表現する。)は、頭頚部や、上肢や、下肢を動かすのに伴って、前後に数センチの微妙な移動をする。（これを「ABラインの揺らぎ」と以下表現する。）このABラインの揺らぎに対応するために、機能(ロ)を持続しながら、併せて、スプリング、弾性材（ゴムなど）、エアシリンダなどの弾性を用いて、このABラインの揺らぎに柔軟に弾性によって対応し、その揺らぎの負荷を減衰させる機能(ハ)を椅子に持たせることが好ましい。
【００３６】
ここで、椅子の一例について説明する。
【００３７】
図5は、椅子の例である。ゴム紐91はその両端が座部93の双方の側面近くに結び付けられており、中心付近が背凭部92の下側に接着されている。背凭部92は、その上側付近に、背凭部92を貫通して略水平に配置された枢支軸94を軸にして揺れ動きスイングするが、ゴム紐92によって、スイングできる範囲が制限されている。この構造であれば、ゴム紐を用いてABラインの揺らぎに柔軟に対応して、その揺らぎの負荷を減衰させる機能を椅子に持たせることができる。
【００３８】
機能(ロ)及び機能(ハ)の二つの機能を持った装置を、背凭支持部と背凭部下部との間に配置すれば、(イ)を加えたそれら三つの機能が総合的に相働いて、座わり心地をよくするばかりでなく、猫背になり難い体勢を保ちながら、着座中の作業による疲労などを抑える効果を生み出す。
【００３９】
座位姿勢の変化に伴って、座部と背凭部との角度が大きくなってA点が後方に移動する一般の椅子では、(2)の状態になり易く、大きな猫背防止効果を得ることが難しい。その理由は、デスクワークの作業点(W点)をデスク上に定めてみると分かり易い。
【００４０】
猫背でない状態で椅子に座したときのW点と、背凭部の枢支軸に寄りかかった腰背部(A点)との距離を考えると、座部と背凭支持部の角度が大きくなってA点が後方に移動すると、この距離は遠くなる。その結果、W点に手が届き難くなるため、背を丸めて猫背状態になり、肩関節ごと上肢を前方に出してW点に手を届かせることになる。
【００４１】
しかし、本実施形態の椅子では、座部と背凭支持部とをほぼ直角に保った上で背凭部下部だけを前後させるからこそ、W点とA点間を変化させることなく、(3)の姿勢を保持するように調整できて、猫背防止機能を発揮できるという優れた効果を奏する。
【００４２】
本実施形態の椅子は、背凭部下端をわずかに2センチから3センチ進退させるだけで大きな効果が得られる。例えば劇場椅子や車輛の椅子のように、上端が後方に移動することで、後方の通路を狭くするような問題が起き難い。
【００４３】
構造上リクライニングシートを組み込み難いバスやトラックなどでも、小さな部品で、小さなスペースにも組み込める本実施形態の技術を導入することで、運転者の体の負担を大きく軽減することができる。さらに、リクライニング機能を持つ背凭部の一部に、上記機能を持つプレートを組み込むと、背凭部上端をさほど後方に移動させなくても、大きなリクライニング様効果を得ることができるために、車輛や航空機の椅子の機能を向上させることもできる。リクライニング機能を導入し難いソファーなどの複数がけの椅子であっても、背凭部の上端付近に枢支軸を設けて下端を本実施形態の装置で前後移動させたり、上部に枢支軸を持った個々のプレートを組み込むことで、個々の好みに応じた座り心地を選択でき易くなる。
【００４４】
以下、本発明の実施例について説明する。
（第1実施例）
【００４５】
図6は第1実施例を示す図である。図に示すように、背凭部（例えば木製の背板）102下部の後面から背凭支持部（例えば金属製の支柱）101に向けて、又は、背凭支持部101から背凭部後面102に向けて、一本または複数のビスを固定し、それにランナー103を噛みあわせる。背凭支持部101はその先端が、背凭部102背面に設けられた鞘部104に収まっている。
【００４６】
ランナー103を回転させることによって、背凭支持部101の先端が梃子の支点となり、背凭支持部101と背凭部102との距離、及び、背凭支持部101と背凭部102とがなす角を変化せることができる。これにより、背凭部102の前後進退が調整され、揺らぎに対応できる。
【００４７】
安定性や背凭支持部の構造上から複数のランナーを配する場合には、ランナー同士をベルトや歯車で連動させて操作してもよい。
【００４８】
ここで、ランナーの例としては、
ランナーa:  円筒形をした螺旋状のスプリング(板バネ、エアシリンダなどの別の弾性素材でもよい)の底面にナットを付けたもの、
ランナーb:  シリンダーの内側に雌ネジを切った物の先端に弾性材を付けたもの、
ランナーc:  ランナーbの外側に、ランナーbよりも突出させてランナーaで取り巻くように合体したもの等を挙げることができる。
【００４９】
ランナーaは安価に製造でき、揺らぎ対応の点でも優れている。ランナーbはビスとシリンダーの接触面が大きい分、安定して操作できる。ランナーcは、揺らぎ対応もでき、底着き感もあるという利点がある。
【００５０】
ランナーcについて詳細に説明する。図7は、ランナーを示す図である。
【００５１】
ランナー114は略円筒状の形状であり、その上部は開放されており、その側面は螺旋状の金属製スプリング111で形成されている。スプリングの内側には、雌ネジを切った円筒状の棒の先端にゴム製の弾性部材112を付けた中心部材113が収納される。中心部材の底面とスプリング111の一端は略同じ高さにあるが、中心部材先端に付けられたゴム製ボールである弾性部材112の位置は、スプリング111に力がかからない状況ではスプリング111の他端よりも低く、ランナー114の内側に弾性部材全体が収まるように配置されている。
【００５２】
背凭支持部と背凭部との距離が小さくなり、ランナー114のスプリング111に力がかかると、スプリング111が縮み、ランナー114は短くなる。しかしながら、スプリング111が縮み中心部材先端に付けられたゴム製の弾性部材112が背凭部又は背凭支持部などに接するようになると、弾性部材がある程度縮み、その分ランナー114も短くなるが、同じ力であれば弾性部材112はスプリング111よりも小さくしか縮まないため、底着き感を椅子の使用者に与えることができる。このようなスプリング111とゴム製弾性部材112との2段階の弾性によって、椅子の使用者は自ら適切な臀部の位置を知ることができ、かつ、ABラインのゆらぎにも対応できるという優れた利点を椅子に設けることができる。
【００５３】
なお、中心部材113の棒にも弾性をもたせることなどによって3段階の弾性、さらには中心部材に弾性材料を3以上にするなどして3以上の弾性力を持たせれば、4段階以上の多段階の底付き感を実現する弾性をランナー114に持たせることもできる。
【００５４】
ここでは、ランナーを背凭支持部に設ける場合について説明したが、背凭部にランナーを設けてもよい。他の実施例でも同様である。
【００５５】
ランナーに対面する背凭支持部に湾曲を設けて、背凭部の回旋によって生じるランナーの接触角度に対応できるようにしてもよい。
【００５６】
背凭部に部品を装着するだけでもよいため、本実施例の椅子は、表記機能の導入が遅れている座椅子・事務用・学習用などの安価な椅子への導入が期待でき、パソコン使用などで社会問題ともなっている猫背防止に貢献できる。
【００５７】
（第2実施例）
背凭部後面から背凭支持部に向けて、背凭支持部から背凭部後面に向けて、又は、背凭支持部の後方から背凭支持部を貫いて背凭部後面に向けて、回転可能なランナー進退ビスを配置する。この際、回転させてもビス自体は前後への進退はしない点が、第3実施例とは異なる。
【００５８】
これに、第1実施例と同様のランナーを噛みあわせ、このランナー自体は回転しないようにしておいて、ベルトや歯車などを連動したつまみでランナー進退ビスを回転させ、ランナーを進退させて、背凭部下部と背凭支持部の距離を調節する。
【００５９】
これは、背凭部と背凭支持部との間に手を入れてランナーを操作できないタイプの椅子に特に適している。
【００６０】
一例としては、背凭支持部を貫くランナー進退ビスを、背凭支持部後面のつまみで回転させて進退するランナーを有する椅子を挙げることができる。
【００６１】
本実施例の椅子について詳細に説明する。図8は第2実施例を示す図である。図では、背凭支持部の模型を示す。
【００６２】
図8(a)では、背凭支持部201aにスプリングを有するランナー203aが設けられている。ランナー203aは、ランナー支持部204aの上に接して配置されており、ランナー支持部204aより下側、つまり背凭支持部201a側には移動しないようにされている。ランナー支持部204aにはランナー支持部204aを貫く貫通孔が設けられている。その貫通孔には、背凭支持部201aに垂直に固定された支持棒205aが貫通している。ランナー支持部204aは、背凭支持部201aに固定された支持棒205aで係止されているため、ランナー203aが回転してもランナー支持部204aは回転せず、ランナー支持部204aの位置を調整することによって、ランナー203aと背凭支持部201aとの間隔を一定以上にすることができる。
【００６３】
図8(b)では、背凭支持部201b上に3つの歯車部211が設けられている。ここでは、ランナーとランナー支持部とは図示を省略している。3つの歯車部211はそれらの溝が噛み合っており、1つの歯車部を回転させれば他の2つの歯車部も回転する。背凭支持部201bの上端付近に配置された歯車部の背面には略円形の回転部212が接着されている。回転部212の円周の一部は背凭支持部201bの上端よりも高い位置にあり、歯車部211と異なり、背凭支持部201bから回転部212の一部がはみ出す形となっている。背凭支持部201bの中心付近に配置された歯車部211にはネジ穴が貫通して設けられている。このネジ穴にはネジ溝が螺旋状に形成されたランナーの中心部材が配置される。回転部212を椅子の使用者が手で回せば、回転部212と接している歯車部が回転し、歯車部3つが全て回転する。背凭支持部201bの中心付近に配置された歯車部211が回転すれば、ネジ溝がランナーの中心部材に形成されているため、ランナーと背凭支持部201bとの間隔を調整することができる。
【００６４】
図8(c)では、背凭支持部201c上に1つの歯車部222が設けられている。歯車部の溝にかみ合う形の螺旋状ワイヤーフレーム223が巻きつけられているワイヤーフレーム支持棒224が、背凭支持部201c上に背凭支持部201cの長手方向に配置されている。ワイヤーフレーム支持棒224は背凭支持部201cの長手方向よりも少し長く、ワイヤーフレーム支持棒224の端部は背凭支持部201cよりもその両端が少しはみ出る形で配置されている。ワイヤーフレーム支持棒224の両方の端部は手で扱いやすいように丸められており、背凭支持部201cの上端及び下端を貫いている。ワイヤーフレーム支持棒224の端部を椅子使用者が手で回転させれば、螺旋状ワイヤーフレーム223の回転を介して歯車部222も回転する。背凭支持部201cの中心付近に配置された歯車部222が回転すれば、ネジ溝がランナーの中心部材に形成されているため、ランナー223が移動し、ランナー223と背凭支持部201cとの間隔を調整することができる。
【００６５】
（第3実施例）
背凭支持部に、背凭部後面に向かうランナーを通せるナットを設ける。
【００６６】
＜第1例  後端につまみを有するもの＞
このナットを後方から通したビスの先端に、第1実施例で説明したランナーa、ランナーb、ランナーcのいずれかのランナーを固定し、それを後端のつまみで回転させて進退させる。
【００６７】
図9は、第3実施例を示す図である。図では、背凭支持部を示す。
【００６８】
背凭支持部301には貫通孔が設けられている。その貫通孔を貫く形で、一端に螺旋状スプリングが先端に巻きつけられたランナー303が設けられている。ランナー303の他端にはナット302が設けられている。
【００６９】
＜第2例  後端のつまみのないもの＞
第1実施例で説明したランナーa、ランナーb、ランナーcのいずれかのランナーの底面中央に、後方に突出したビスを結合する。これを、前方から背凭支持部ナットに挿入して進退させる。
【００７０】
（第4実施例）
本実施例の椅子は、スライド式のランナーを有する。
【００７１】
本実施例の椅子について詳細に説明する。図10(a)は、第4実施例を示す図である。図では、背凭部402aの模型を示す。
【００７２】
背凭部402aの背面上には1組の溝部404を有するランナー保持部406が設けられている。ランナー保持部405には、略長方形板状のランナー403aが収納されており、溝部404によって略長方形板状のランナー403aの移動方向が規制されている。略長方形板状のランナー403aには、V字状に折り曲げられたアーム部405の一端が結合されている。アーム部405の他端は例えば椅子の使用者が手で操作できるレバーに結合されている。ランナー403aの一端は背凭支持部に向かって断面がV字状になるように折り曲げられ、背凭支持部と接している。
【００７３】
アーム部405を通じてランナー403aを上下に移動させると、ランナー403aのV字状に折り曲げられている一端と背凭支持部とが接する位置が移動する。例えば、上述の実施例のように、鞘部が背凭部402aに設けられており、背凭支持部の先端が鞘部に引っ掛けられて収納されている場合など、背凭部402aと背凭支持部とが平行でないときには、ランナー403aの一端と背凭支持部とが接する位置が移動することによって、背凭部402aと背凭支持部との距離は変化する。これによって、アーム部405を通じて背凭部402aの角度変化及び位置調整を実現できる。
【００７４】
本実施例の椅子は、調節したい二点間が大きい場合に都合がよい。
【００７５】
なお、ランナー又はランナー保持部は、鞘状の部品と、その中をスライドする鋸歯状の切込みや、多数の穴を持った部品であってもよい。鞘状の部品の先端に、スプリングや弾性素材などを着けて揺らぎに対応させてもよい。鞘状の部品の一部と、中をスライドする部品の切り込みや穴が一致する所で、ストッパーで固定できるようにし、そのストッパーを、レバーや、レバーなどに連なるワイヤーなどで開閉できるようにして操作するように設計されていてもよい。
【００７６】
（第5実施例）
本実施例の椅子では、ナットを付けたV字形をした板バネや螺旋スプリングや弾力性のあるコマ状のもの(弾力性のないものでもよい)をコマ状ランナーとし、背凭支持部と背凭部との間に配置する。このコマ状ランナーを上下に貫く長いビスを回転させて上下させたり、背凭部後面や背凭支持部前面に付けたレバーで上下させたりする。
【００７７】
本実施例の椅子について詳細に説明する。図10(b)は、第5実施例を示す図である。図では、背凭部402bの模型を示す。
【００７８】
背凭部402bの背面には鞘部414が設けられている。鞘部414には、背凭支持部の先端が収まる。背凭部402bの背面上には、第1ワイヤーフレーム支持棒415が、背凭部402bの横方向に略平行になるように回転可能な状態で配置されている。第1ワイヤーフレーム支持棒415には、第1螺旋状ワイヤーフレーム416が巻きつけられている。第1ワイヤーフレーム支持棒415の長さは背凭部402bの両端からはみ出す程度であり、手で操作しやすいように第1ワイヤーフレーム支持棒415の両端は丸められている。
【００７９】
背凭部402bの背面上には両端が折り曲げられた、板状のランナー保持部420が設けられている。ランナー保持部420には、略長方形板状のランナー403bが収納されている。ランナー403aは、断面がV字状に折り曲げられており、その中央部には略長方形の貫通孔421が設けられている。
【００８０】
貫通孔421の一辺に噛み合う形を有する第2螺旋状ワイヤーフレーム419が一端付近に巻きつけられた第2ワイヤーフレーム支持棒418が、第1ワイヤーフレーム支持棒415と略垂直になるように背凭部402bの背面上に回転可能な状態で設けられている。第2ワイヤーフレーム支持棒418は、ランナー403bを貫通し、第2螺旋状ワイヤーフレーム419で貫通孔421の一辺と噛み合う。第2ワイヤーフレーム支持棒418は、ランナー保持部420の折り曲げられた上端及び下端に貫通して保持されている。
【００８１】
第2ワイヤーフレーム支持棒418の他端には、歯車部417が結合されている。歯車部417は、第1螺旋状ワイヤーフレーム416の螺旋とかみ合う位置に配置されている。
横方向に伸びる第1ワイヤーフレーム支持棒415の一端を椅子使用者が手で回転させると、第1螺旋状ワイヤーフレーム416と噛み合う歯車部417も回転し、縦方向に伸びる第2ワイヤーフレーム支持棒418も回転する。第2ワイヤーフレーム支持棒418の回転は、第2螺旋状ワイヤーフレーム419に噛み合う貫通孔421を通じてランナー403bを縦方向へ移動させる。背凭部402bの背面上のランナー403bの縦方向への移動、つまり、上下方向の移動によって、背凭支持部の先端が鞘部に引っ掛けられて収納されている場合などには、背凭部402bと背凭支持部との距離は変化する。これによって、第1ワイヤーフレーム支持棒415の一端の回転操作を通じて背凭部402bの角度変化及び位置調整を実現できる。
【００８２】
なお、また、木製椅子や二本支柱の椅子などでは、背凭支持部（支柱）と背凭部下部との間に横方向のバーを入れ、そのバーにスプリングや弾性素材を着けておき、それを上下させて適度な位置に固定できるようにしてもよい。また、背凭支持部に複数のピン穴を開けておき、コマ状ランナーから突出させたピンを移動させることによって、背凭部の角度を変えられるようにしてもよい。複数のピンにすると安定しやすいという利点がある。
【００８３】
これらを、背凭支持部と背凭部の作る間隙の上部に進めれば、背凭部下部は、前方に押されて背凭支持部との距離は大きくなり、下部に進めれば背凭支持部との距離は小さくなる。
【００８４】
（第6実施例）
本実施例の椅子では、第5実施例と類似のコマ状ランナー二個を、鋭角部を内側に向けて背凭支持部前面の左右に配置する。この左右のコマ状ランナーを、左右で逆ネジに切った長ビスで貫いて、これを回旋させれば、ランナーが離れたり近寄ったりするようにしておく。弓状にして中央部が後方に突出した背凭部を、上の装置で前方に押し出す。コマ状ランナーが中央に寄れば、背凭部と背凭支持部の間は離れ、外方に離れれば、背凭支持部と背凭部下部は近寄る。
【００８５】
本実施例の椅子について詳細に説明する。図11は、第6実施例を示す図である。図では、背凭支持部を示す。
【００８６】
背凭支持部501上には、ワイヤーフレーム支持棒502が、背凭支持部501の長手方向に略平行になるように回転可能な状態で配置されている。背凭支持部501は両端が略L字状に折り曲げられており、その両端をワイヤーフレーム支持棒502が貫通している。ワイヤーフレーム支持棒502には、螺旋状ワイヤーフレーム503が巻きつけられている。ワイヤーフレーム支持棒502の長さは背凭支持部501の両端からはみ出す程度であり、手で操作しやすいようにワイヤーフレーム支持棒502の両端は丸められている。
【００８７】
背凭支持部501上には、略長方形状のランナー504が一対配置されている。この2つのランナー504は断面が略V字状になるように折り曲げられている。ランナー504の折り曲げられてなる鋭角部は互いに向き合い、2つのランナー504は内側に向けて背凭支持部前面の左右に配置されている。それぞれのランナー504には略長方形状の貫通孔が設けられており、ワイヤーフレーム支持棒502が貫通している。
【００８８】
それぞれのランナー504には、螺旋状ワイヤーフレーム503と内側で螺合する筒部505が結合されている。
【００８９】
ワイヤーフレーム支持棒502の一端を椅子使用者が手で回転させると、螺旋状ワイヤーフレーム503と噛み合う筒部505を介して、ワイヤーフレーム支持棒502に沿ってランナー504が移動する。ここで、螺旋状ワイヤーフレーム503の螺旋の巻き方又は内側で螺合する筒部505の内部のネジの切り方などの形状を選択することによって、ワイヤーフレーム支持棒502の回転する際のランナーの移動方向を互いに反対方向にしておく。それぞれのランナーが離れたり近寄ったりするようにしておけば、ランナーがそれぞれ中央に寄る場合には背凭部と背凭支持部との距離は離れ、あるいは、ランナーそれぞれが互いに離れる場合には背凭支持部と背凭部下部との距離は小さくなる。これによって、ワイヤーフレーム支持棒502の一端の回転操作を通じて背凭部の角度変化及び位置調整を実現できる。
【００９０】
（第7実施例）
本実施例の椅子は、回転軸を有する前傾ランナーを備える。
【００９１】
座部後方や、背凭支持部のどこかに、左右に走る回転軸を配置し、その軸から出て上方に向かって背凭部下部の背面に至る突起物を設ける。ここでは、これを前傾ランナーと呼ぶ。
【００９２】
この回転軸を背凭支持部上部に配置して、前傾ランナーを下部に向けてもよい。リクライニング支柱の上端にこれを付ければ、丁度、リクライニング背凭部に、もう一つの逆さのリクライニング機能が組み合わさったようになる。この回転軸を回転させて、背凭部下部を後方から押し出す度合を選択できるようにする。
【００９３】
前傾ランナーに、板バネや螺旋スプリングや弾性素材の伸縮材を取り付けてABラインの揺らぎに対応させてもよい。
【００９４】
＜第1例＞
回転軸である棒状の背凭支持部の端をL字形に曲げてレバーとし、そのレバーをビスの回転で操作できるようにして、前傾ランナーの角度を調整する。
【００９５】
図12は、第7実施例の一つを示す図である。図では、背凭部及び座部を示す。
【００９６】
背凭部602の背面には、断面が略V字状に折り曲げられた、略長方形状のランナー603が結合されている。背凭部602の下方に位置する、座部605a上の端部付近には、背凭支持部601aが配置されている。背凭支持部601aは、棒状であり、その中央部付近でランナー603と接している。背凭支持部601aの一端は、座部605a付近に配置された操作部604aに連結されている。
【００９７】
椅子の使用者は、操作部604aに連結された背凭支持部601aを動かすことによって、背凭部602の角度変化及び位置調整を実現できる。
【００９８】
＜第2例＞
前傾ランナーに加え、回転軸から下部に向かう操作突起を設ける。座部の前縁や前外縁に、フリーストップ機能のある操作レバーや、操作突起を前後させることのできるネジ式の回旋つまみの操作部を設け、座部側方や下面を通ってこの操作部と操作突起とを連結して回転軸を回転させる部品を配置する。
【００９９】
図13は、第7実施例の一つを示す図である。図では、座部の上面及び下面を示す。
【０１００】
座部605bの下面で背凭支持部601bと連結された操作部604bが座部605bの側部付近に設けられている。背凭支持部601bは、座部605bの後方に一対設けられている。操作部604bは座部の下側から上側に伸びるレバーとして機能し、操作部604bを動かすことによって、背凭部の角度変化及び位置調整を実現できる。
【０１０１】
図14は、第7実施例の一つを示す図である。図では、座部の上面及び下面を示す。
【０１０２】
座部605cの下面で背凭支持部601cと連結された操作部604cが座部605cの側部付近に設けられている。背凭支持部601cは、座部605cの後方に一対設けられている。操作部604cは回転装置として機能し、椅子使用者による操作によって操作部604cと連結された背凭支持部601cを動かすことによって、背凭部の角度変化及び位置調整を実現できる。
【０１０３】
＜第3例＞
回転軸をバネ等で前傾させるなどしておき、背凭部下端を後方へ戻すのは、椅子使用者が体重で押し戻すことができる。バンドブレーキ、ドラムブレーキ、ラチェットギヤーなどを応用した装置を用いて背凭部下端を任意の角度で固定できるようにする。
【０１０４】
図15は、第7実施例の一つを示す図である。図では、座部の上面及び下面を示す。
【０１０５】
座部605dの下面で背凭支持部601dと連結された操作部604dが座部605dの側部付近に設けられている。背凭支持部601dは、座部605dの後方に一対設けられている。操作部604dはバンドブレーキのように上下（前後）方向に操作でき、椅子使用者によるレバーの上下操作によって操作部604dと連結された背凭支持部601dを動かすことによって、背凭部の角度変化及び位置調整を実現できる。
【０１０６】
背凭支持部601dには、背凭部の後方において、回転軸611及び回転軸611に連結したバネ610dが連結されている。これによって、回転軸611に連結されたバネ610dなどの弾性で背凭部下端をいったん前傾させるなどした上で、背凭部下端を後方へ戻す場合の機能、背凭部下端を椅子使用者の体重で押し戻す場合の機能などを椅子に持たせることもできる。
【０１０７】
なお、例えば、回転軸の一端を円筒形にし、その下面に密着する半円形の板を当て、これを摩擦抵抗の大きな樹脂で覆ったストッパーを設けてもよい。  このストッパーを、ラセンバネ、ぜんまいバネ、その他のスプリング、油圧シリンダーなどで圧着するようにしてもよい。ストッパーの一端にレバーを付け、圧着を解除して回転角度を選択できるようにしてもよい。
【０１０８】
本実施例の技術は、車輛のリクライニングシートの背中付近に回転軸を設け、そこから腰部に至るランバープレートを組み込むことで、ランバーシートにも応用できる。腰部のみのランバープレートに比して、背中の広い範囲を支持できるランバープレートを設置できるため、衝撃を広い面に分散して受け止める。いわば本来の背持たれに近い接着面を作れるという利点がある。
【０１０９】
プレート後面の左右に前傾ランナーを配置しておいて、プレートの中央部が後方に少したわむ材質を用いることで、衝撃を吸収し易くできる。また、左右の前傾ランナーの間に、衝撃を吸収できる素材を配置して安善性を高めることも可能である。
【０１１０】
（第8実施例）  
背凭部下部の前方を牽引する装置について説明する。
【０１１１】
座部の前縁や前外縁に、第7実施例の技術に類した操作レバーや操作回転つまみを設ける。操作部から、座部側面や下面を通って後方に行き、座部後方側縁や後縁を回って上方に行き、背凭部後方に達してこれを前に引き出すことのできる装置を設ける。
【０１１２】
図16は、第8実施例の一つを示す図である。図では、座部の上面及び下面を示す。
【０１１３】
操作部604eはスイッチのように上下（前後）方向に操作でき、椅子使用者によるレバーの上下操作によって操作部604eと連結された背凭支持部601eを動かすことによって、背凭部の角度変化及び位置調整を実現できる。
【０１１４】
背凭支持部601eには、座部605eの下面に設けられたバネ610eが連結されている。これによって、背凭支持部601e連結されたバネ610eなどの弾性で背凭部下端をいったん前傾させるなどした上で、背凭部下端を後方へ戻す場合の機能、背凭部下端を椅子使用者の体重で押し戻す場合の機能などを椅子に持たせることもできる。
【０１１５】
背凭を後方から前方に引き出す突起の前面などに、板バネ、螺旋スプリング、弾性素材の伸縮材などを取り付けてABラインの揺らぎに対応させてもよい。
【０１１６】
（第9実施例）
本実施例の椅子は、上述の実施例の機能と各種ランナーとを応用した懸垂シート(スイングシート)を備えている。
【０１１７】
図17は、第9実施例の一つを示す図である。図では、背凭部と座部とを有する椅子を示す。
【０１１８】
椅子は、背凭部と座部とが一体化し、1枚の板からなる、断面が略L字状のシート702aを有している。シート702aは、その座部側の前側の先端が、下側に向けて折り曲げられた折り曲げ部703を有している。シート702aの座部の下方には、クランク706bが設けられている。クランク706bの一端はバネ707bを介して折り曲げ部703の下面に接続している。クランク706bの他端は、椅子の支柱などに固定されている。クランク706bには切れ込み部711があり、切れ込み部711にはバネ707bの一端が引っかかり連結できるようになっている。
【０１１９】
シート702a のL字形の骨格構造を、背凭部後方に接する背凭支持部の回転軸708bで懸垂でき、そこを軸にして一体化したシート702a下部が前後にスイングするようにする。
【０１２０】
クランク706bは、座部前方の下部に、後上方に斜めに向かってバネ707bを介してシート702a の折り曲げ部703を下から支える位置にある。これによって、シート702aが前方に移る際には、クランク706bが立ち上がって、シート702a の折り曲げ部703aは上に持ち上げられる。
【０１２１】
シート702a の折り曲げ部703はバネ703aに連結しているため、その動きには弾性を持たせることができる。また、切れ込み部711にバネ707bの一端が引っかかり連結するが、ネ707bの一端が切れ込み部711内にも弾性体を設置し、バネ707bの一端が少し移動可能なようにしておけば、バネの弾性と、切れ込み部711内での弾性を伴うバネ707bの一端の移動とによって、2段階の弾性をシート702a の折り曲げ部703に持たせることも可能である。
【０１２２】
図18は、第9実施例の一つを示す図である。図では、背凭部と座部とを有する椅子を示す。
【０１２３】
椅子は、背凭部と座部とが一体化し、1枚の板からなる、断面が略L字状のシート702bを有している。シート702bは、その座部側の前側の先端が、下側に向けて折り曲げられた折り曲げ部703を有している。シート702bの座部の下面には、一対のクランク706bが設けられている。2つのクランク706bの一端はそれぞれバネ707bを介して折り曲げ部703の下面に接続している。クランク706bの他端は、座部の後方で固定されている。
【０１２４】
シート702b のL字形の骨格構造を、背凭部後方に接する背凭支持部の回転軸708bで懸垂でき、そこを軸にして一体化したシート702b下部が前後にスイングするようにする。
【０１２５】
クランク706bは、折り曲げ部703の下面に向かってバネ707bを介してシート702b の折り曲げ部703を下から支える位置にある。これによって、シート702bが前方に移る際には、シート702b の折り曲げ部703bは上に持ち上げられる。
【０１２６】
上述のように、本実施例の椅子は、(3)の姿勢で座ることができる、背凭部と座部とが一体化したL字形のシートを備えている。
【０１２７】
背凭部と座部を支える骨格構造をL字形にしておいて、それに取り付ける座部と背凭部とを切り離しておき、背凭部の下部を、各種ランナーで前後に進退調節できるようにしてもよい。
【０１２８】
このL字形の骨格構造を、背凭部後方に接する背凭支持部の回転軸で懸垂させ、そこを軸に一体化したシート下部が前後にスイングするようにしている。
【０１２９】
一方、座部前方の下部に、後上方に斜めに走って下から支えるクランクを設け、シートが前方に移る際には、クランクが立ち上がって、上に持ち上げるようにする。耐荷重のため、クランクを複数にしてもよい。この骨格構造の下部を前上方に押し出して、ある位置に固定できる、第1実施例から第4実施例などに示した進退装置を設け、レバーなどで操作するようにしてもよい。スイングする状態のままにしたければ、進退操置のロックが解除されたままにできるようにしてもよい。
【０１３０】
また、座部の前縁が上がり過ぎるようであれば、その前方を横に分割して蝶番で連結し、分割部分の下部にもクランクを設け、座部前方が上がったときに、蝶番部から前は下方に傾斜して、前縁が上がり過ぎないように工夫してもよい。
【０１３１】
本実施例の椅子を使用すると、一見、B点よりA点が後方に移動するように思えるが、座部と背凭部とがなす骨格の角度が変化しないため、座位態勢(股関節の角度)には変化がないことと、W点とA点間に変化がないため、本実施形態の椅子は、上述の実施例と同様の効果を奏する。
【０１３２】
座部の下部に回転軸があって、いわゆるロッキングチェアーのように、椅子の上部が前後にスイングをする椅子の場合はW点とA点が離れていくために、作業時には背が丸くなりがちである。一方、本実施例の椅子は、A点の回転軸を軸にして、椅子の下部が前後にスイングするため、W点とA点間が変化せずにリクライニング様の動きをするので、体の角度が変化していても、作業時に背中が丸くならないという優れた利点がある。
【０１３３】
ヘッドレストやフットレストなどを設けたり、サスペンションを効かせたりして、ベビーカーや車椅子に応用してもよい。
【０１３４】
（第10実施例）
本実施例の椅子は、各種ランナーを応用して、座部の傾斜度を調節する工夫を備えている。
【０１３５】
座部の下面に接して、これを下から支えるための脚部材と、座部の後方との間を蝶番で連結し、座部の前縁が上下に動いて座面の傾斜度が変化するような構造にする。脚部材の前方に、一個、あるいは数個の第一項・第二項・第三項のランナーとその上下移動装置を垂直方向に配置し、座部の前縁を上下させて傾斜度を調節できるようにする。
【０１３６】
この座部の傾斜を調節することによって、作業や体形に応じて安定的に背凭部に寄りかかれるようになり、猫背防止効果を高めることができる。
【０１３７】
（第11実施例）
本実施例の椅子は、屈曲部材が背凭部下部を後面から押し、屈曲部材の折れ曲がり角度が変化することで背凭部下部を進退させ、揺れ動かすことができる工夫を備えている。
【０１３８】
図19は、第11実施例の一つを示す図である。図では、背凭部と座部とを有する椅子を示す。
【０１３９】
椅子は、略長方形板状の背凭部802と略長方形板状の座部805とを有している。座部805の後端には座部805に対して略斜め60度の角度をなして上方に伸びる背凭支持棒801が2本連結している。2本の背凭支持棒801は、略水平に伸びる背凭支持部の回転棒808を介して互いにつながっている。回転棒808は、背凭部後方に接し、回転棒808を軸にして背凭部802下部が前後にスイングする。
【０１４０】
2本の背凭支持棒801の前側には、ヒンジ803がそれぞれ取り付けられている。ヒンジ803は、その両端で2本の背凭支持棒801に結び付けられており、中央付近803cで略L字状に折れ曲がっている。背凭支持棒801にはバネ状の螺旋弾性体815が巻きつけられており、ヒンジ803の上端803uはバネ状の螺旋弾性体815に固定されている。ヒンジ803の上端803uは背凭支持棒801に沿って可動できる状態にあり、移動自在である。背凭支持棒801に取り付けられたナット813の位置を調整することにより、ヒンジ803の下端803dの位置を決定することができる。
【０１４１】
ヒンジ803の中央付近803cの折れ曲がる角度は変更自在である。ヒンジ803の中央付近803cは、背凭部802に背面から接している。ヒンジ803の折れ曲がりの角度が例えば略L字状から略V字状のように小さくなると、背凭部802下部と背凭支持棒801との距離が大きくなる。その逆に、ヒンジ803の折れ曲がりの角度が大きくなると、背凭部802下部と背凭支持棒801との距離が小さくなる。
【０１４２】
背凭支持棒801には、ネジ山812が切られており、背凭支持棒801にナット813が螺合している。ナット813は、ヒンジ803の下端803dを下から接して支える位置にある。ナット813を背凭支持棒801に沿って上下させることで、ヒンジ803の下端803dも上下し、ヒンジ803の折れ曲がりの角度も調整できる。
【０１４３】
ヒンジ803の上端803uは螺旋弾性体815に結びついているため、もとの形にもどろうとする螺旋弾性体815の弾性の性質を用いて、背凭部802の下部の柔軟な揺らぎを実現できる。
【０１４４】
また、背凭支持棒801の下部には例えばゴム製の円筒状弾性部材814が固定され巻きつけられている。ナット813が円筒状弾性部材814の上面に接するところまで下がれば、外力によって変形した円筒状弾性部材814がもとの形にもどろうとする弾性の性質を用いて、ヒンジ803の折れ曲がり角度の変化を介して、背凭部802の下部の柔軟な揺らぎ対応も実現できる。
【０１４５】
より柔軟に上下する環状の部材をナットの代わりに使用すれば、ヒンジのなす角度をより柔軟に、さらには弾性を用いて変化させることもできる。ネジ山の切られたビスとナットでの操作でなく、フリーストップ機能のあるスライド装置を用いてもよい。フリーストップ機能をもったスライド装置を設ける場所に、ヒンジ下端に設けたピンを、複数設けたピン穴に刺して調節してもよい。
【０１４６】
ヒンジは、いわゆる蝶番、平蝶番、旗蝶番、抜き蝶番、二管蝶番、裏蝶番、隠し蝶番、なつめ蝶番、フランス蝶番、装飾蝶番、自由蝶番、扉を開くと螺旋状にせり上がり、自重で自動的に閉まるグレビティヒンジなどでもよい。
【０１４７】
背凭支持棒（支柱）に沿わせて別の長ビスを配置し、それに付けたナットで、蝶番下端を上下させてもよい。蝶番下端の上下によって蝶番を屈曲させ、中間の屈曲部の頂点が背凭を前方に押し出すようにしているが、蝶番屈曲部や、それが対応する背板後面に、スプリングや弾性剤を配置して揺らぎに対応させてもよい。この装置を、背凭部背面に設け、背凭支持棒を押すようにしてもよい。
【０１４８】
この装置は、円筒形のランナーを配置するような間隙のない場所への応用が可能であり、少ない間隙に配置できて、大きな幅の押し出し効果を生むことができる。背凭部後面中央部にランナーなどを配置しなくてもいいため、背凭部後面中央部に部品を配置し難い、例えば左右に支柱を有する椅子などに応用できる。
【０１４９】
（権利解釈等）
以上、特定の実施形態を参照しながら、本発明について説明してきた。しかしながら、本発明の要旨を逸脱しない範囲で当業者が実施形態の修正又は代用を成し得ることは自明である。すなわち、例示という形態で本発明を開示してきたのであり、本明細書の記載内容を限定的に解釈するべきではない。本発明の要旨を判断するためには、冒頭に記載した特許請求の範囲の欄を参酌すべきである。
【０１５０】
また、この発明の説明用の実施形態が上述の目的を達成することは明らかであるが、多くの変更や他の実施例を当業者が行うことができることも理解されるところである。特許請求の範囲、明細書、図面及び説明用の各実施形態のエレメント又はコンポーネントを他の１つまたは組み合わせとともに採用してもよい。特許請求の範囲は、かかる変更や他の実施形態をも範囲に含むことを意図されており、これらは、この発明の技術思想および技術的範囲に含まれる。
【図１】
2018110633.tif 000003
【図２】
2018110633.tif 000004
【図３】
2018110633.tif 000005
【図４】
2018110633.tif 000006
【図５】
2018110633.tif 000007
【図６】
2018110633.tif 000008
【図７】
2018110633.tif 000009
【図８】
2018110633.tif 000010
【図９】
2018110633.tif 000011
【図１０】
2018110633.tif 000012
【図１１】
2018110633.tif 000013
【図１２】
2018110633.tif 000014
【図１３】
2018110633.tif 000015
【図１４】
2018110633.tif 000016
【図１５】
2018110633.tif 000017
【図１６】
2018110633.tif 000018
【図１７】
2018110633.tif 000019
【図１８】
2018110633.tif 000020
【図１９】
2018110633.tif 000021
【手続補正書】
【提出日】平成30年1月2日(2018.1.2)
【手続補正１】
【補正対象書類名】特許請求の範囲
【補正対象項目名】全文
【補正方法】変更
【補正の内容】
【特許請求の範囲】
【請求項１】
着座者の背中を受ける背凭部と、
前記背凭部の上側寄りを枢支し、前記背凭部の下部を前後方向に揺動自在とする枢支軸と
を備え、
座部と前記枢支軸との相対的な位置関係を略一定に保った状態で、前記背凭部の下部が前後方向に揺動することによって着座中の着座者の揺らぎに追従することを特徴とする背凭。
【請求項２】
前記背凭部の下部は、弾性によって、着座中の着座者の揺らぎに追従することを特徴とする請求項1記載の背凭。
【請求項３】
2以上の異なる弾性力の弾性によって、前記背凭部の下部は段階的に揺動することを特徴とする請求項1記載の背凭。
【請求項４】
前記背凭部の下部は、前記背凭部の下端部であることを特徴とする請求項1記載の背凭。
【請求項５】
前記背凭部の下部の後方への移動を規制する後方移動規制部
をさらに備え、
前記後方移動規制部が前後方向に移動することを特徴とする請求項1記載の背凭。
【請求項６】
座部と、
前記座部に腰かける着座者の背中を受ける背凭部と、
前記背凭部の上側寄りを枢支し、前記背凭部の下部を前後方向に揺動自在とする枢支軸と
を備え、
前記座部と前記枢支軸との相対的な位置関係を略一定に保った状態で、前記背凭部の下部は、前後方向に揺動することによって着座中の着座者の揺らぎに追従し、
前記枢支軸は、前記座部の後縁の略直上に略固定されていることを特徴とする椅子。
【請求項７】
前記背凭部の下部の後方への移動を規制する後方移動規制部
をさらに備え、
着座者の操作によって回転する歯車を介して前記後方移動規制部が前後方向に移動することを特徴とする請求項6記載の椅子。
【請求項８】
前記背凭部に連結される背凭支持部と、
前記背凭部の下部の後方への移動を規制し、着座中の着座者の揺らぎに追従するための弾性体を有するランナーと
前記背凭支持部上に設けられた歯車部と、
前記背凭支持部上に前記背凭支持部の長手方向に配置され、前記歯車部の溝にかみ合う形の螺旋状ワイヤーフレームが巻きつけられたワイヤーフレーム支持棒と
をさらに備え、
前記ワイヤーフレーム支持棒の端部が回転すると、前記螺旋状ワイヤーフレームの回転を介して前記歯車部が回転し、前記ランナーが移動し、前記背凭部と前記背凭支持部との間隔を変化させることを特徴とする請求項6記載の椅子。
【請求項９】
前記背凭部の後方に配置されて前記背凭部を支持するとともに、前記背凭部に連結される背凭支持部をさらに備え、
前記背凭部と前記背凭支持部との間にスライドするランナーが設けられており、
前記ランナーがスライドすることで前記背凭部と前記背凭支持部との間隔を変化させることを特徴とする請求項6記載の椅子。
【請求項１０】
前記背凭部の後方に配置されて前記背凭部を支持するとともに、前記背凭部に連結される背凭支持部をさらに備え、
前記背凭部と前記背凭支持部との間に屈曲部材が設けられており、
前記屈曲部材の折れ曲がり角度が変化することで前記背凭部と前記背凭支持部との間隔を変化させることを特徴とする請求項6記載の椅子。
【請求項１１】
前記背凭部に連結される背凭支持部と、
前記背凭部の背面上に、前記背凭部の横方向に略平行になるように回転可能な状態で配置された第1ワイヤーフレーム支持棒と、
前記第1ワイヤーフレーム支持棒に巻きつけられた螺旋状ワイヤーフレームと、
背凭部の背面上に設けられ、両端が折り曲げられた板状の前記ランナー保持部と、
前記背凭部の下部の後方への移動を規制し、前記ランナー保持部に収納された略長方形板状のランナーと、
前記ランナーに設けられた、断面がV字状に折り曲げられており、その中央部には略長方形の貫通孔と、
前記第1ワイヤーフレーム支持棒と略垂直になるように背凭部の背面上に回転可能な状態で設けられ、貫通孔の一辺に噛み合う形を有する前記螺旋状ワイヤーフレームが一端付近に巻きつけられた第2ワイヤーフレーム支持棒と、
前記第2ワイヤーフレーム支持棒の他端に結合された歯車部と
をさらに備え、
前記第1ワイヤーフレーム支持棒の長さは前記背凭部の両端からはみ出す程度であり、
手で操作しやすいように前記第1ワイヤーフレーム支持棒の両端は丸められ、
前記第2ワイヤーフレーム支持棒は、前記ランナーを貫通し、前記螺旋状ワイヤーフレームで前記貫通孔の一辺と噛み合い、
前記第2ワイヤーフレーム支持棒は、前記ランナー保持部の折り曲げられた上端及び下端に貫通して保持されており、
前記歯車部は、第1螺旋状ワイヤーフレームの螺旋とかみ合う位置に配置され、
横方向に伸びる前記第1ワイヤーフレーム支持棒の一端を着座者が手で回転させると、前記第1螺旋状ワイヤーフレームと噛み合う前記歯車部も回転し、縦方向に伸びる前記第2ワイヤーフレーム支持棒も回転し、
前記第2ワイヤーフレーム支持棒の回転は、前記第2螺旋状ワイヤーフレームに噛み合う前記貫通孔を通じてランナーを縦方向へ移動させ、
前記背凭部の背面上のランナーの縦方向への移動によって、前記背凭部と前記背凭支持部との間隔を変化させることを特徴とする請求項6記載の椅子。
【請求項１２】
前記背凭部の後方に配置された背凭支持部をさらに備え、
前記背凭部と前記背凭支持部との間にスライドする1対のランナーが設けられており、
前記1対のランナーが互いに異なる方向にスライドすることで前記背凭部と前記背凭支持部との間隔を変化させることを特徴とする請求項6記載の椅子。
【請求項１３】
着座者の背中を受ける背凭部と、前記背凭部の上側寄りを枢支し、前記背凭部の下部を前後方向に揺動自在とする枢支軸とを備える背凭によって、
座部と前記枢支軸との相対的な位置関係を略一定に保った状態で、前記背凭部の下部が前後方向に揺動することによって着座中の着座者の揺らぎに追従して着座者の背中を受けることを特徴とする着座者の背受方法。
【手続補正２】
【補正対象書類名】明細書
【補正対象項目名】００１１
【補正方法】変更
【補正の内容】
【００１１】
本発明の第1の側面は、
着座者の背中を受ける背凭部と、
前記背凭部の上側寄りを枢支し、前記背凭部の下部を前後方向に揺動自在とする枢支軸と
を備え、
座部と前記枢支軸との相対的な位置関係を略一定に保った状態で、前記背凭部の下部が前後方向に揺動することによって着座中の着座者の揺らぎに追従することを特徴とする背凭。
にある。
本発明の第2の側面は、
前記背凭部の下部は、弾性によって、着座中の着座者の揺らぎに追従することを特徴とする請求項1記載の背凭。
にある。
本発明の第3の側面は、
2以上の異なる弾性力の弾性によって、前記背凭部の下部は段階的に揺動することを特徴とする請求項1記載の背凭。
にある。
本発明の第4の側面は、
前記背凭部の下部は、前記背凭部の下端部であることを特徴とする請求項1記載の背凭。
にある。
本発明の第5の側面は、
前記背凭部の下部の後方への移動を規制する後方移動規制部
をさらに備え、
前記後方移動規制部が前後方向に移動することを特徴とする請求項1記載の背凭。
にある。
本発明の第6の側面は、
座部と、
前記座部に腰かける着座者の背中を受ける背凭部と、
前記背凭部の上側寄りを枢支し、前記背凭部の下部を前後方向に揺動自在とする枢支軸と
を備え、
前記座部と前記枢支軸との相対的な位置関係を略一定に保った状態で、前記背凭部の下部は、前後方向に揺動することによって着座中の着座者の揺らぎに追従し、
前記枢支軸は、前記座部の後縁の略直上に略固定されていることを特徴とする椅子。
にある。
本発明の第7の側面は、
前記背凭部の下部の後方への移動を規制する後方移動規制部
をさらに備え、
着座者の操作によって回転する歯車を介して前記後方移動規制部が前後方向に移動することを特徴とする請求項6記載の椅子。
にある。
本発明の第8の側面は、
前記背凭部に連結される背凭支持部と、
前記背凭部の下部の後方への移動を規制し、着座中の着座者の揺らぎに追従するための弾性体を有するランナーと
前記背凭支持部上に設けられた歯車部と、
前記背凭支持部上に前記背凭支持部の長手方向に配置され、前記歯車部の溝にかみ合う形の螺旋状ワイヤーフレームが巻きつけられたワイヤーフレーム支持棒と
をさらに備え、
前記ワイヤーフレーム支持棒の端部が回転すると、前記螺旋状ワイヤーフレームの回転を介して前記歯車部が回転し、前記ランナーが移動し、前記背凭部と前記背凭支持部との間隔を変化させることを特徴とする請求項6記載の椅子。
にある。
本発明の第9の側面は、
前記背凭部の後方に配置されて前記背凭部を支持するとともに、前記背凭部に連結される背凭支持部をさらに備え、
前記背凭部と前記背凭支持部との間にスライドするランナーが設けられており、
前記ランナーがスライドすることで前記背凭部と前記背凭支持部との間隔を変化させることを特徴とする請求項6記載の椅子。
にある。
本発明の第10の側面は、
前記背凭部の後方に配置されて前記背凭部を支持するとともに、前記背凭部に連結される背凭支持部をさらに備え、
前記背凭部と前記背凭支持部との間に屈曲部材が設けられており、
前記屈曲部材の折れ曲がり角度が変化することで前記背凭部と前記背凭支持部との間隔を変化させることを特徴とする請求項6記載の椅子。
にある。
本発明の第11の側面は、
前記背凭部に連結される背凭支持部と、
前記背凭部の背面上に、前記背凭部の横方向に略平行になるように回転可能な状態で配置された第1ワイヤーフレーム支持棒と、
前記第1ワイヤーフレーム支持棒に巻きつけられた螺旋状ワイヤーフレームと、
背凭部の背面上に設けられ、両端が折り曲げられた板状の前記ランナー保持部と、
前記背凭部の下部の後方への移動を規制し、前記ランナー保持部に収納された略長方形板状のランナーと、
前記ランナーに設けられた、断面がV字状に折り曲げられており、その中央部には略長方形の貫通孔と、
前記第1ワイヤーフレーム支持棒と略垂直になるように背凭部の背面上に回転可能な状態で設けられ、貫通孔の一辺に噛み合う形を有する前記螺旋状ワイヤーフレームが一端付近に巻きつけられた第2ワイヤーフレーム支持棒と、
前記第2ワイヤーフレーム支持棒の他端に結合された歯車部と
をさらに備え、
前記第1ワイヤーフレーム支持棒の長さは前記背凭部の両端からはみ出す程度であり、
手で操作しやすいように前記第1ワイヤーフレーム支持棒の両端は丸められ、
前記第2ワイヤーフレーム支持棒は、前記ランナーを貫通し、前記螺旋状ワイヤーフレームで前記貫通孔の一辺と噛み合い、
前記第2ワイヤーフレーム支持棒は、前記ランナー保持部の折り曲げられた上端及び下端に貫通して保持されており、
前記歯車部は、第1螺旋状ワイヤーフレームの螺旋とかみ合う位置に配置され、
横方向に伸びる前記第1ワイヤーフレーム支持棒の一端を着座者が手で回転させると、前記第1螺旋状ワイヤーフレームと噛み合う前記歯車部も回転し、縦方向に伸びる前記第2ワイヤーフレーム支持棒も回転し、
前記第2ワイヤーフレーム支持棒の回転は、前記第2螺旋状ワイヤーフレームに噛み合う前記貫通孔を通じてランナーを縦方向へ移動させ、
前記背凭部の背面上のランナーの縦方向への移動によって、前記背凭部と前記背凭支持部との間隔を変化させることを特徴とする請求項6記載の椅子。
にある。
本発明の第12の側面は、
前記背凭部の後方に配置された背凭支持部をさらに備え、
前記背凭部と前記背凭支持部との間にスライドする1対のランナーが設けられており、
前記1対のランナーが互いに異なる方向にスライドすることで前記背凭部と前記背凭支持部との間隔を変化させることを特徴とする請求項6記載の椅子。
にある。
本発明の第13の側面は、
着座者の背中を受ける背凭部と、前記背凭部の上側寄りを枢支し、前記背凭部の下部を前後方向に揺動自在とする枢支軸とを備える背凭によって、
座部と前記枢支軸との相対的な位置関係を略一定に保った状態で、前記背凭部の下部が前後方向に揺動することによって着座中の着座者の揺らぎに追従して着座者の背中を受けることを特徴とする着座者の背受方法。
にある。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】